(57)【要約】【課題】光沢度をはじめとする画像表面状態が異なる境界領域を有する画像の記録されたハードコピーであって、上記境界領域において不自然な輪郭を観察者が感じることがないリアルなハードコピー、あるいは上記境界領域においてメリハリのあるハードコピーを提供し、さらにこのハードコピーの作製方法および作製装置を提供する。【解決手段】ハードコピー１０は、記録した画像の画像領域内に画像表面状態が画像内の画像情報に応じて変化する境界領域Ａを有し、この境界領域Ａにおいて、前記画像表面状態の変化が強調され、あるいは抑制されている。また、ハードコピー１０を作製する際、画像情報に基づいて画像内のエッジ領域を抽出し、このエッジ領域に沿って画像領域内の画像表面状態を強調しあるいは抑制するように、画像表面情報を調整して、画像を記録する。【選択図】図１
2004187131.tif 000002
【特許請求の範囲】
【請求項１】
記録媒体に画像を記録したハードコピーであって、
記録した画像の画像領域内に画像表面状態が画像情報に応じて変化する変化領域を有し、
この変化領域において、前記画像表面状態の変化が強調され、あるいは抑制されていることを特徴とするハードコピー。
【請求項２】
前記変化領域は複数あり、前記画像表面状態の変化が強調された強調領域と、
前記画像表面状態の変化が抑制された抑制領域とを有する請求項１に記載のハードコピー。
【請求項３】
記録位置に対応した画像情報とこの記録位置に対応した画像表面情報とを用いて記録媒体に画像を記録する際、
前記画像情報に基づいて画像内のエッジ領域を抽出し、
このエッジ領域に沿って画像領域内の画像表面状態を強調しあるいは抑制するように、前記画像表面情報を調整し、この調整した前記画像表面情報を用いて画像を記録することを特徴とするハードコピー作製方法。
【請求項４】
記録位置に対応した画像情報とこの記録位置に対応した画像表面情報とを用いて記録媒体に画像を記録するハードコピー作製装置であって、
前記画像情報から画像内のエッジ領域を抽出し、このエッジ領域に沿って画像領域内の画像表面状態を強調しあるいは抑制するように、前記画像表面情報を調整する画像表面情報調整部と、
前記画像情報に基づいて画像を記録する第１の記録ヘッドと、
調整された前記画像表面情報に基づいて画像表面状態を変化させる第２の記録ヘッドと、を有することを特徴とするハードコピー作製装置。
【発明の詳細な説明】
【０００１】
【発明の属する技術分野】
本発明は、プリンタ等を用いて記録媒体に画像を記録したハードコピー、このハードコピーを作製するハードコピー作製方法およびハードコピー作製装置に関する。
【０００２】
【従来の技術】
今日、被写体をスキャナやカメラで読み取って高画質の画像を得ることはできるが、被写体を撮影して得られる読取画像によって、被写体の光沢感や被写体表面の細かな凹凸等の質感を表現することは難しい。
【０００３】
被写体の質感を表現する方法として、コンピュータグラフィック（ＣＧ）による処理が挙げられる。例えば、被写体を表すコンピュータ上の３次元データにおいて、質感を表すための情報として鏡面反射率や拡散反射率等を定義し、レンダリング処理を行って２次元データを計算し、２次元画像として表示する。しかし、このような２次元画像をプリンタ等を用いてハードコピーを作製しても、ハードコピーにおいて鏡面反射と拡散反射に基づいて質感を適切に表現することは難しい。
【０００４】
これに対し、下記に示す特許文献１は、画像を受像媒体に記録後、この表面にポリイミド、ポリエステルあるいはポリカーボネート等からなる耐熱性材料を熱転写によってプリンタによって作製されたハードコピーの表面状態を変化させる方法を開示している。
また、下記に示す特許文献２は、再現しようとする画像から色情報と光沢情報あるいは非光沢情報とを取り込み、この２つの情報に基づき被記録媒体に画像記録を行う画像形成システム、例えば、インクジェットプリンタを用いて光沢情報に基づいてワニスを液滴として吐出し、あるいは、非光沢情報に基づいて低密度ポリエチレンを液滴として吐出するシステムを開示している。
また、下記特許文献３は、被記録媒体の画像記録層に熱融着性微粒子を含有させ、加熱によりこの熱融着性粒子を融解せしめ、光沢度情報に基づいて光沢を発現させる画像形成性システム、あるいは、被記録媒体の画像記録層に熱発泡性微粒子を含有させ、加熱によりこの熱発泡性粒子を発泡せしめ、非光沢度情報に基づいて非光沢を発現させる画像形成性システムを開示している。
【０００５】
【特許文献１】
特開平２−１８２４６７号公報
【特許文献２】
特開２００１−５３９４３号公報
【特許文献３】
特開２００１−４７７３２号公報
【０００６】
【発明が解決しようとする課題】
しかし、特許文献２に示すシステムでは、画像領域によって光沢度を調整したハードコピーを作製することができるものの、光沢情報に基づいて形成された光沢度が最大の画像領域と光沢度が最小（非光沢）の画像領域とが隣接する場合、この境界領域で光沢度が急激に変化するため、画像の観察者はこの境界領域で不自然な輪郭を感じ、必ずしも忠実な画像が形成されないといった問題があった。また、画像によっては、境界領域において光沢度の変化が小さく、観察者は光沢度の変化を感じることができないといった問題もあった。
このような問題は、特許文献１および３においても同様に発生する。
【０００７】
そこで、本発明は、上記問題点を解決するために、光沢度をはじめとする画像表面状態が異なる境界領域を有する、記録媒体に画像の記録されたハードコピーであって、上記境界領域において不自然な輪郭を観察者が感じることがないリアルなハードコピー、あるいは上記境界領域においてメリハリのあるハードコピーを提供するとともに、このハードコピー作製方法およびハードコピー作製装置を提供することを目的とする。
【０００８】
【課題を解決するための手段】
上記目的を達成するために、本発明は、記録媒体に画像を記録したハードコピーであって、記録した画像の画像領域内に画像表面状態が画像情報に応じて変化する変化領域を有し、この変化領域において、前記画像表面状態の変化が強調され、あるいは抑制されていることを特徴とするハードコピーを提供する。
【０００９】
ここで、前記変化領域は複数あり、前記画像表面状態の変化が強調された強調領域と、前記画像表面状態の変化が抑制された抑制領域とを有するものであってもよい。
【００１０】
また、本発明は、記録位置に対応した画像情報とこの記録位置に対応した画像表面情報とを用いて記録媒体に画像を記録する際、前記画像情報に基づいて画像内のエッジ領域を抽出し、このエッジ領域に沿って画像領域内の画像表面状態を強調しあるいは抑制するように、前記画像表面情報を調整し、この調整した前記画像表面情報を用いて画像を記録することを特徴とするハードコピー作製方法を提供する。
【００１１】
さらに、本発明は、記録位置に対応した画像情報とこの記録位置に対応した画像表面情報とを用いて記録媒体に画像を記録するハードコピー作製装置であって、前記画像情報から画像内のエッジ領域を抽出し、このエッジ領域に沿って画像領域内の画像表面状態を強調しあるいは抑制するように、前記画像表面情報を調整する画像表面情報調整部と、前記画像情報に基づいて画像を記録する第１の記録ヘッドと、調整された前記画像表面情報に基づいて画像表面状態を変化させる第２の記録ヘッドと、を有することを特徴とするハードコピー作製装置を提供する。
【００１２】
【発明の実施の形態】
以下、本発明のハードコピー、ハードコピー作製方法およびハードコピー作製装置について、添付の図面に示される好適実施例を基に詳細に説明する。
【００１３】
図１は、本発明のハードコピーの好適実施例であるハードコピー１０を示した図である。
ハードコピー１０は、プリンタ等を用いて記録媒体に画像の記録されたハードコピーであって光沢度が異なる境界領域を有する。
ハードコピー１０には、海に浮かぶ島を撮影した風景画であり、キラキラ輝く光沢領域としての海の領域１２と、樹木で覆われた非光沢領域としての島の領域１４と、青空の領域１６と、の画像領域を有する画像が形成されている。
【００１４】
図２は、ハードコピー１０の領域１２と領域１４との境界領域Ａ（図１参照）の断面構成を示した断面図である。
ハードコピー１０は、図２に示すように、記録媒体基材層１８に隣接して下塗り層２０が積層され、さらにこの下塗り層２０に隣接して画像記録層２２が積層され、さらに、この画像記録層２２に隣接してオーバコート層２４が積層され、このオーバコート層２４が最表層として形成されている。
ここで、光沢領域である領域１２では、最表層であるオーバーコート層２４の最表面が滑らかになっており、光沢層となっている。
一方、非光沢領域である領域１４では、最表層であるオーバーコート層の最表面が粗面化されて、領域１２の表面粗度に比べて表面粗度が大きくなって非光沢層となっている。
【００１５】
したがって、領域１２では、光沢層としてのオーバコート層２４の鏡面反射によりキラキラ輝く海を表現することができる。
また、領域１４では、非光沢層としてのオーバコート層２４の拡散反射により緑の樹木で覆われた島を表現することができる。
なお、境界領域Ａは、画像表面状態が画像内の画像情報に応じて変化する本発明における変化領域に相当する。
【００１６】
このような境界領域Ａでは、図３（ａ）に実線で示すように、光沢度がなだらかに変化している。すなわち、境界における光沢度の変化を抑制しなだらかかつ連続的に変化させ、境界から離れた位置で領域１２，１４のそれぞれが異なった一定の光沢度を持つように構成されている。こうして画像表面状態をなだらかかつ連続的に変化させることで、従来のように光沢度が急激に変化する（図３（ａ）に示す破線）場合に比べて、境界領域Ａで不自然な輪郭を感じさせることを抑制することができる。
境界領域Ａでは、図３（ａ）に示すように、光沢度がなだらかかつ連続的に変化するものであるが、この他に、図３（ｂ）に示すように、領域１２と領域１４との境界領域Ａにおいて光沢度が段階的に変わるように構成してもよい。すなわち、領域１２における一定の光沢度が境界領域Ａにおいて領域１４の一定した光沢度に一度に急激に変化せず、段階的に、しかも、光沢度の変化を一定値以下として変化させている。こうして画像表面状態を段階的に変化させることで、従来のように画像の観察者に境界領域Ａで不自然な輪郭を感じさせることを抑制することができる。
【００１７】
また、光沢度の差が小さい２つの領域の境界領域において画像のメリハリを付けるために、図３（ｃ）および（ｄ）に示すように、光沢度の変化を所定値以上とするように、領域の境界の光沢度の変化を強調するように大きく差を付けてもよい。すなわち、領域１２，１４の光沢度の差は小さいが、領域１２と領域１４の境界を明確にしたい場合に光沢度の変化を強調するとよい。すなわち、光沢度の高い領域から境界領域に近づくにつれ光沢度のレベルを一旦高め、かつ、光沢度の低い領域から境界領域に近づくにつれ光沢度のレベルを一旦下げて、接続位置で光沢度の変化を強調する。
また、ハードコピーにおける境界領域が、光沢度の変化が強調された強調領域と、光沢度の変化が抑制された抑制領域とを、１つのハードコピー内に有するものであってもよい。
【００１８】
なお、光沢度とは、一定の方向から入射した光が鏡面反射する程度を言い、例えばＪＩＳ  Ｚ  ８７２２（ｄ−ｎまたはｎ−ｄ）番による反射物体の反射率の測定法に従って定義される反射率によって定められ。なお、本発明において光沢度は絶対値を規定するものでなく、画像領域において光沢度が相対的に異なればよい。したがって、例えば、上記ＪＩＳ規格で規定される反射率が相対的に異なればよい。
【００１９】
なお、ハードコピー１０における光沢度は、図２に示すようにオーバーコート層２４の最表面を粗面化することで調整されているが、図４に示すように、画像記録層２２を粗面化することでオーバーコート層２６の最表面を凹凸形状として光沢度の調整を行ってもよい。
また、画像記録層２２を粗面化のみならず、オーバコート層２６の粗面化を行って、光沢度の調整を行ってもよい。
【００２０】
なお、上記実施例のハードコピー１０は境界領域Ａにおける光沢度の変化を調整したものであるが、本発明においては、オーバコート層の最表面の表面粗さの変化を、図５（ａ）〜（ｄ）に示す実線のように抑制あるいは強調したものであってもよい。これにより、従来のように光沢度が一度に変化する（図５（ａ）に示す破線）場合に比べて、境界領域Ａで不自然な輪郭を感じさせることを抑制することができる。
【００２１】
このように、光沢度および表面粗さ等の画像表面状態の変化を境界領域で抑制あるいは強調することで、境界領域において不自然な輪郭を観察者が感じることがないリアルなハードコピー、あるいは境界領域においてメリハリのあるハードコピーを提供することができる。
【００２２】
このようなハードコピー１０は、例えば、図６に示す感熱発色型のサーマルプリンタである画像作製装置４０にて作製することができる。
なお、ハードコピーに用いられる記録媒体５２は、図２に示すように、記録媒体基材層１８に隣接して下塗り層２０が積層され、さらにこの下塗り層２０に隣接して画像記録層２２が積層されたものである。この画像記録層２２に画像を記録した後、オーバコート層２４が形成される。
【００２３】
画像作製装置４０は、記録媒体に画像を記録する記録ヘッド４２と、画像表面状態を変化させる記録ヘッド４４と、記録ヘッド４２および記録ヘッド４４を駆動するための制御部４６と、記録ヘッド４２に対向して位置するプラテンローラ４８と、記録ヘッド４４に対向して位置するプラテンローラ５０と、記録ヘッド４２と記録ヘッド４４との位置の間に設けられたオーバコート層形成装置４５と、オーバコート層形成装置４５に対向して位置するプラテンローラ５１と、を有して構成される。
記録ヘッド４２は、発熱素子が記録媒体５２の幅方向に沿って配列されたサーマルヘッドであって、画像情報に応じて記録すべき位置にある発熱素子を発熱させて記録媒体５２の画像記録層２２を発色させるものである。
オーバコート層形成装置４５は、画像記録後の表面に所定の液を液滴として吐出することで樹脂層を記録媒体に形成してオーバコート層２４とするインクジェットヘッドである。オーバコート層形成装置４５は、この他、所定の樹脂液を塗布することによりオーバコート層２４を形成する塗布装置であってもよい。
一方、記録ヘッド４４は、発熱素子が記録媒体５２の幅方向に沿って配列されたサーマルヘッドであって、画像表面情報に応じて発熱素子の発熱量を変えて記録媒体５２のオーバコート層２４の画像表面状態を自在に変化させるものである。
【００２４】
制御部４６は、供給された画像情報と画像表面情報とから、記録ヘッド４２，４４を駆動する制御信号を生成し、記録ヘッド４２，４４に付与し、オーバコート層形成装置４５の液滴の吐出を制御する部位である。その際、供給された画像情報に基づいて画像内のエッジ領域、例えば画像内の被写体のエッジ領域を抽出し、このエッジ領域に沿って、画像領域内の画像表面状態を強調しあるいは抑制するように、画像表面情報を調整する。なお、画像内のエッジ領域の抽出は、公知の方法を用いればよい。
すなわち、制御部４６は、本発明における画像表面情報調整部に相当する。
【００２５】
このような画像作製装置４０は、記録ヘッド４２を用いて画像を記録した後、オーバコート層形成装置４５によりオーバコート層２４を形成し、この後、記録ヘッド４４にて画像記録層２２およびオーバコート層２４の少なくとも一層を、この層の軟化点以上に加熱することで熱変形させる。
なお、加熱して軟化させる層がオーバコート層２４の場合、記録ヘッド４４の発熱素子との接触により表面が力を受けて変形が容易に生じ易いといったメッリトを有する。
一方、加熱して軟化させる層が最表層の下側の層、例えば画像記録層２２の場合、軟化した層の構成物質が発熱素子に付着することがなく、また、過度な変形を抑制することができるといったメリットを有する。
上記例は、画像記録後、オーバコート層２４を形成するものであるが、予めオーバコート層２４を形成した後、画像記録を行い、この後、記録媒体５２のオーバコート層２４の画像表面状態を変化させてもよい。この場合、記録媒体にオーバコート層が予め形成されたものを用いてもよい。
【００２６】
また、本実施例における画像作製装置４０は、画像の記録後に画像表面状態を変化させるものであるが、画像の記録前に画像表面状態を変化させてもよい。
画像の記録後に画像表面状態を変化させる場合、画像の記録の際、画像表面状態が変化していないので記録材料が一様である。このため、画像を忠実に記録することができる。
一方、画像の記録前に画像表面状態を変化させる場合、画像表面状態の変化により画像の記録時の伝達関数（発熱素子に与える発熱量に対する、発色する画像の濃度や色相の程度）が変化し、画像表面状態の変化に応じた画像のボケや色の変化等の特殊な効果を与えることができるといったメリットを有する。
このように画像作製装置４０は、熱を与えて画像表面状態を変化させることができる。
【００２７】
また、熱を与えて画像表面状態を変化させる他に、画像表面に圧力を与えて画像表面状態を変化させてもよい。
図７（ａ）は、図６に示す記録ヘッド４４の替わりにドットインパクトヘッド６２、加熱風生成装置６４および冷却風生成装置６６を用いて画像表面状態を自在に変化させる装置構成を示している。
すなわち、記録媒体の記録面側から加熱風生成装置６４からの加熱風で加熱された記録媒体の表面近傍をドットインパクトヘッド６２で押圧し、この時の押圧力を自在に変えることで記録媒体の最表面の表面状態を自在に変化させ、この後、冷却風生成装置６６からの冷却風で速やかに冷却させる。
この場合においても、画像の記録の前にオーバコート層を形成してもよいし、画像の記録後にオーバコート層を形成してもよい。
【００２８】
なお、加熱風生成装置６４および冷却風生成装置６６の替わりに、図７（ｂ）に示すように、ドットインパクトヘッド６２の搬送方向上流側に加熱ローラ７０とローラ７２とを設け、搬送方向下流側に冷却ローラ７４とローラ７６とを設け、ドットインパクトヘッド６２による押圧の前に記録面側を加熱し、押圧の後に記録面側を冷却する構成としてもよい。
なお、ドットインパクトヘッド６２は移動せず、押圧する素子が搬送される記録媒体５２の幅方向に並び、押圧すべき記録位置に対応する素子が記録媒体を押圧するように構成されてもよいし、ドットインパクトヘッド６２は記録媒体５２と相対的に一方向に移動し、あるいは、この方向およびこの方向と直交する方向に相対的に移動して押圧するように構成されてもよい。
このように、押圧する圧力を変えながら、画像表面状態を自在に変化させることができる。
【００２９】
また、本発明のハードコピー作製装置は、画像の記録時に記録媒体の表面状態を同時に変化させてもよい。
図８は、画像の記録時に記録媒体の表面状態を同時に変化させるインクジェット方式の画像作製装置を示している。
図８に示す画像作製装置８０は、紫外線硬化インクを液滴として記録媒体８２に向けて吐出して記録媒体の表面に凹凸を付けて画像表面状態を変化させるものである。画像作製装置８０は、記録媒体８２の搬送方向上流側から下流側に向けて、搬送ローラ対８４と、紫外線硬化インクを液滴として吐出させる吐出ヘッド８６と、ＵＶ光源８８と、イエロ（Ｙ）の色材インクを液滴として吐出させる吐出ヘッド９０と、ＵＶ光源９２と、マゼンタ（Ｍ）の色材インクを液滴として吐出させる吐出ヘッド９４と、ＵＶ光源９６と、シアン（Ｃ）の色材インクを液滴として吐出させる吐出ヘッド９８と、ＵＶ光源１００と、搬送ローラ対１０１と、吐出ヘッド８６，９０，９４，９８およびＵＶ光源８８，９２，９６，１００のそれぞれに対応して配置されたローラ１０２〜１１６と、を有し、さらに、吐出ヘッド８６，９０，９４，９８を駆動させるための制御部１１８と、ＵＶ光源８８，９２，９６，１００による紫外線の照射を制御する光源制御部１２０とを有して構成される。この場合、色材インクについても、紫外線硬化インクを用いる。
【００３０】
制御部１１８は、画像作製装置４０における制御部４６と同様に、供給された画像情報と画像表面情報とから、吐出ヘッド８６，９０，９４，９８を駆動する制御信号を生成し、吐出ヘッド８６，９０，９４，９８に付与する部位である。その際、供給された画像情報に基づいて画像内のエッジ領域、例えば画像内の被写体のエッジ領域を抽出し、このエッジ領域に沿って、画像領域内の画像表面状態を強調しあるいは抑制するように、画像表面情報を調整する。調整された画像表面情報は、制御信号として吐出ヘッド８６に送られる。一方、画像情報は、吐出ヘッド９０と、吐出ヘッド９４と、吐出ヘッド９８とに、制御信号として送られる。
【００３１】
次に、画像作製装置８０によるハードコピー作製方法を説明する。
まず、吐出ヘッド８６にて紫外線硬化インクの液滴を記録媒体８２の表面に制御信号に従って吐出する。図９（ａ）における（ｉ）に示すように記録媒体８２に液滴が着弾した後、図９（ａ）における（ｉｉ）に示すようにＵＶ光源８８で紫外線（ＵＶ）を照射し液滴の粘性を高めて固化し液滴の形状を保持させる。これにより、記録媒体８２の表面に凹凸を形成することができる。なお、記録媒体８２の表面の凹凸の形成のために、吐出ヘッド８６は、吐出するインクの液滴のサイズを自在に調整するものであってもよい。
この後、図９（ａ）における（ｉｉｉ）に示すように、吐出ヘッド９０でイエロ（Ｙ）の色材インクを吐出して画像を記録する。この後、図９（ａ）における（ｉｖ）に示すようにＵＶ光源９２にて紫外線（ＵＶ）を照射する。こうして、イエロの色材インクを流動させることなく固化させることができる。
同様に、マゼンタの色材インクを吐出し、紫外線を照射し、さらに、シアンの色材インクを吐出し、紫外線を照射して、画像を記録する。
これにより、凹凸となった記録媒体８２の表面に色材インクが着弾するので、図９（ｂ）に示すように、記録媒体８２の上に積層されて形成される色材インクの層の表面も凹凸が形成される。これにより、表面粗さの異なったハードコピーを自在に作製することができる。
【００３２】
このように、本実施例では、画像表面状態を変えるインクを画像の記録前に液滴として付与するが、画像表面状態を変える透明性を有するインクを画像の記録後に液滴として付与してもよい。さらに、電子写真方式の記録方法を用いて色材トナーを付与後、画像表面状態を変える透明性を有するクリアトナーを付与してもよい。
さらに、透明樹脂フィルム等を記録媒体の表面に圧着して光沢度を向上させる公知の方法を用いてもよい。
【００３３】
なお、本発明における画像の記録は、感熱発色型のサーマルプリント方式およびインクジェット方式のほか、感熱転写型のサーマルプリント方式、昇華転写型のサーマルプリント方式、さらには、電子写真方式、さらには銀塩写真方式で行ってもよい。また、画像表面状態を表す光沢度および表面粗さのいずれか一方を用いてもよいし、併用してもよい。
【００３４】
以上、本発明のハードコピー、ハードコピー作製法法およびハードコピー作製装置について詳細に説明したが、本発明は上記実施例に限定はされず、本発明の要旨を逸脱しない範囲において、各種の改良および変更を行ってもよいのはもちろんである。
【００３５】
【発明の効果】
以上、詳細に説明したように、本発明のハードコピーは、記録した画像の画像領域内に画像表面状態が画像内の画像情報に応じて変化する変化領域を有し、この変化領域において、画像表面状態の変化が強調され、あるいは抑制されているので、変化領域において不自然な輪郭を観察者が感じることがないリアルなハードコピー、あるいは変化領域においてメリハリのあるハードコピーを提供することができる。
このようなハードコピーを作製する際、画像情報に基づいて抽出したエッジ領域に沿って画像表面状態を強調あるいは抑制するので、リアルなハードコピー、あるいはシャープな輪郭によるメリハリのあるハードコピーを容易に提供することができる。
また、画像領域に、画像表面状態の変化が強調された強調領域と、画像表面状態の変化が抑制された抑制領域とを備えることで、訴求力の高い画像を提供することができる。
【図面の簡単な説明】
【図１】本発明のハードコピーの一例を示す図である。
【図２】図１に示すハードコピーにおける境界領域Ａの断面構成の一例を示した断面図である。
【図３】（ａ）〜（ｄ）は、図１に示すハードコピーにおける境界領域の光沢度の変化の例を説明する図である。
【図４】本発明におけるハードコピーの境界領域の断面構成の他の例を示した断面図である。
【図５】（ａ）〜（ｄ）は、本発明のハードコピーにおける境界領域の表面粗さの変化の例を説明する図である。
【図６】本発明のハードコピー作製装置の一例である画像作製装置を示す概念図である。
【図７】（ａ）および（ｂ）は、本発明のハードコピー作製装置の他の例である画像作製装置を示す概念図である。
【図８】本発明のハードコピー作製装置の他の例である画像作製装置を示す概念図である。
【図９】（ａ）は、図８に示す画像作製装置で行われるハードコピーの形成方法の一例を説明する図であり、（ｂ）は、（ａ）に示す方法で得られるハードコピーの断面の一例を示す断面図である。
【符号の説明】
１０  ハードコピー
１２，１４，１６  領域
１８  記録媒体基材層
２０  下塗り層
２２  画像記録層
２４，２６  オーバコート層
４０  画像作製装置
４２，４４  記録ヘッド
４６，１１８  制御部
４８，５０，５１  プラテンローラ
５２，８２  記録媒体
６２  ドットインパクトヘッド
６４  加熱風生成装置
６６  冷却風生成装置
７０  加熱ローラ
７２，７６  ローラ
７４  冷却ローラ
８４，８５  搬送ローラ対
８６，９０，９４，９８  吐出ヘッド
８８，９２，９６，１００  ＵＶ光源
１０２，１０４，１０６，１０８，１１０，１１２，１１４，１１６  ローラ
１２０  光源制御部
【図１】
2004187131.tif 000003
【図２】
2004187131.tif 000004
【図３】
2004187131.tif 000005
【図４】
2004187131.tif 000006
【図５】
2004187131.tif 000007
【図６】
2004187131.tif 000008
【図７】
2004187131.tif 000009
【図８】
2004187131.tif 000010
【図９】
2004187131.tif 000011